(57)【要約】【課題】従来の合成樹脂製の化粧ブラシ用毛材に比べて、化粧粉の含み具合や塗布性能に優れるとともに、肌への感触が極めて良好であるなどの特長を持ち、獣毛に十分匹敵し得る性能を備えた化粧ブラシ用毛材および化粧ブラシの提供。【解決手段】断面に複数の凸部と凹部を有する合成樹脂異形断面モノフィラメントのカットブリッスルからなり、カットブリッスルの長さ方向に沿って圧縮変形部と非圧縮部とを交互に有し、圧縮変形部断面の長径ａと短径ｂの比ａ／ｂの値が１．４〜２．５の範囲にあるとともに、カットブリッスルの少なくとも一端がテーパー形状に形成されていることを特徴とする化粧ブラシ用毛材。【選択図】図１
2007244544.tif 000002
【特許請求の範囲】
【請求項１】
断面に複数の凸部と凹部を有する合成樹脂異形断面モノフィラメントのカットブリッスルからなり、このカットブリッスルの長さ方向に沿って圧縮変形部と非圧縮部とを交互に有し、前記圧縮変形部断面の長径ａと短径ｂの比ａ／ｂの値が１．４〜２．５の範囲にあるとともに、前記カットブリッスルの少なくとも一端がテーパー形状に形成されていることを特徴とする化粧ブラシ用毛材。
【請求項２】
前記異形断面モノフィラメントの断面形状が、５〜１２個の凸部を有する多葉形であることを特徴とする請求項１に記載の化粧ブラシ用毛材。
【請求項３】
前記非圧縮部の断面形状に外接する外接円とこの断面形状の凸部とが接する点を接点とした場合の隣接する２つの凸部先端の接点を結んだ接点間距離をｃとし、前記隣接する２つの凸部に挟まれた凹部の最底点から、前記２つの凸部先端の接点を結んだ線分へ垂直に下ろした垂線の距離をｄとしたときにｄ／ｃの値で示される値が、０．３〜０．７の範囲にあることを特徴とする請求項１または２に記載の化粧ブラシ用毛材。
【請求項４】
請求項１〜３のいずれか１項に記載の化粧ブラシ用毛材を毛材の少なくとも一部に使用したことを特徴とする化粧ブラシ。
【発明の詳細な説明】
【技術分野】
【０００１】
本発明は、化粧粉の含み具合や塗布性能に優れるとともに、肌への感触が極めて良好な化粧ブラシ用毛材およびこの化粧ブラシ毛材を使用した化粧ブラシに関するものである。
【背景技術】
【０００２】
従来、化粧用ブラシの毛材としては、山羊、リスやイタチなどの獣毛が多用されてきたが、近年これら獣毛の調達が困難となり、これに代わってナイロンやポリブチレンテレフタレートなどの合成樹脂からなる化粧用ブラシ毛材が使用されつつある。
【０００３】
そして、これら合成樹脂製の毛材の多くは、従来の獣毛に似たものとするため、丸断面の直線状モノフィラメントからなるカットブリッスルの先端をテーパー状に加工したものが使用されてきたが、獣毛に比べてカットブリッスルの表面が平滑であるため、毛材が化粧粉を含みにくく、これを使用して実際に化粧を行う際には、塗布斑が生じやすいことなど塗布性能に問題があり、さらには獣毛に比べて毛材が硬く感じられるなど、肌への感触が劣るという問題もあった。
【０００４】
このような問題を改善した化粧ブラシとしては、合成樹脂製カットブリッスルの断面を複数の凹凸部を有する異形断面形状とした合成樹脂製毛材（例えば、特許文献１参照）が既に知られている。
【０００５】
この合成樹脂製毛材は、従来のものに比べて化粧粉の含み具合や塗布性能および肌への触感がある程度改善されたものとはいえるが、獣毛と比べるとこれらの性能は未だに不十分であり、獣毛に十分匹敵し得る性能を備えた合成樹脂製の毛材の開発が頻りに求められていた。
【特許文献１】特許第１５４５６４２号公報（第１頁）
【発明の開示】
【発明が解決しようとする課題】
【０００６】
本発明は、上述した従来技術における問題点の解決を課題として検討した結果達成されたものである。
【０００７】
したがって、本発明の目的は、従来の合成樹脂製の化粧ブラシ用毛材に比べて、化粧粉の含み具合や塗布性能に優れるとともに、肌への感触が極めて良好であるなどの特長を持ち、獣毛に十分匹敵し得る性能を備えた合成樹脂製の化粧ブラシ用毛材および化粧ブラシを提供することにある。
【課題を解決するための手段】
【０００８】
上記目的を達成するために本発明によれば、断面に複数の凸部と凹部を有する合成樹脂異形断面モノフィラメントのカットブリッスルからなり、カットブリッスルの長さ方向に沿って圧縮変形部と非圧縮部とを交互に有し、圧縮変形部断面の長径ａと短径ｂの比ａ／ｂの値が１．４〜２．５の範囲にあるとともに、カットブリッスルの少なくとも一端がテーパー形状に形成されていることを特徴とする化粧ブラシ用毛材が提供される。
【０００９】
なお、本発明の化粧用ブラシ毛材においては、
異形断面モノフィラメントの断面形状が、５〜１２個の凸部を有する多葉形であること、
前記非圧縮部の断面形状に外接する外接円とこの断面形状の凸部とが接する点を接点とした場合の隣接する２つの凸部先端の接点を結んだ接点間距離をｃとし、前記隣接する２つの凸部に挟まれた凹部の最底点から、前記２つの凸部先端の接点を結んだ線分へ垂直に下ろした垂線の距離をｄとしたときにｄ／ｃの値で示される値（以下、ローバル度と称す）が、０．３〜０．７の範囲にあることが、いずれも好ましい条件として挙げられ、これらの条件を満たした場合には、さらに優れた性能を発揮する。
【００１０】
また、本発明の化粧ブラシは、上記化粧ブラシ用毛材を毛材の少なくとも一部に使用したことを特徴とし、従来の合成樹脂製の毛材を使用した化粧ブラシに比べて各性能に優れ、獣毛を使用した化粧ブラシに十分匹敵し得る塗布性能と肌への触感性を兼ね備えたものである。
【発明の効果】
【００１１】
本発明によれば、化粧粉の含み具合や塗布性能に優れ、肌への感触に優れるなどの特長を持ち、獣毛に十分匹敵し得る性能を備えた化粧ブラシ用毛材および化粧ブラシを得ることができる。
【発明を実施するための最良の形態】
【００１２】
以下に本発明の化粧ブラシ用毛材および化粧ブラシについて、図面に従って詳細に説明する。
【００１３】
図１は本発明の化粧ブラシ用毛材の一例を示した側面図であり、１は化粧ブラシ用毛材、２はテーパー部、３はストレート部、４は圧縮変形部、５は非圧縮部をそれぞれ示している。
【００１４】
また、図２の（イ）および（ロ）は、それぞれ図１の化粧用ブラシ毛材１の線Ｉ−Ｉおよび線Ｊ−Ｊにおける断面図の一例を表したものであり、６は凸部、７は凹部を示している。ここで、図２（イ）のａおよびｂは、それぞれ圧縮変形部４における断面形状の長径および短径を示している。
【００１５】
また、図２（ロ）のｃは、非圧縮部５の断面形状に外接する外接円（点線）と断面形状の凸部６とが接する点を接点とした場合の隣接する２つの凸部６先端の接点６ａ、６ｂを結んだ接点間距離（ｍｍ）を、同じくｄは、隣接する２つの凸部６に挟まれた凹部７の最底点７ａから、前記２つの凸部６先端の接点６ａ、６ｂ接点を結んだ線分へ垂直に下ろした垂線の距離（ｍｍ）を、それぞれ示している。
【００１６】
図１および図２から分かるように、本発明の化粧ブラシ用毛材１は、断面に複数の凸部６と凹部７を有する異形断面モノフィラメントのカットブリッスルからなり、カットブリッスルの長さ方向に沿って圧縮変形部４と非圧縮部５とを交互に有し、圧縮変形部４における断面形状の長径ａと短径ｂの比ａ／ｂの値が１．４〜２．５の範囲にあるとともに、カットブリッスルの少なくとも一端がテーパー形状に形成されていることを特徴とする。
【００１７】
つまり、本発明の化粧用ブラシ毛材１は、その断面に複数の凸部６と凹部７を有し、さらにその長さ方向に沿って圧縮変形部４と非圧縮部５とを交互に有することにより、従来の合成樹脂製の化粧ブラシ用毛材に比べて優れた化粧粉の含み具合と塗布性能発揮するとともに、毛材がたわみやすくなるために肌への触感性が極めて良好な化粧ブラシ用毛材となるのである。
【００１８】
しかし、本発明の化粧ブラシ用毛材１は、さらに圧縮変形部４断面の長径ａと短径ｂの比ａ／ｂの値が１．４〜２．５の範囲にあることが必要であり、さらには１．６〜２．３の範囲にあることがより好ましい。
【００１９】
これは、圧縮変形部４断面の長径ａと短径ｂの比ａ／ｂの値が上記範囲を下まわる場合は、十分に化粧粉を含み難くなる傾向にあるからであり、逆に上記範囲を上まわる場合は、一旦毛材に含まれた化粧粉が離脱しにくくなる傾向にあり、塗布斑などの塗布性能の低下を招きやすいからである。
【００２０】
また、本発明の化粧ブラシ用毛材１の少なくとも一端はテーパー形状に形成されていることが必要であり、テーパー形状に形成されていることにより、獣毛に似た化粧ブラシ用毛材が得られるのである。
【００２１】
さらに、本発明の化粧ブラシ用毛材１の素材となる異形断面モノフィラメントの断面形状は、化粧粉の含み具合と化粧の際の化粧粉の離脱性とのバランスが良いことから、５〜１２個の凸部６を有する多葉形であることが好ましく、さらには６〜１０個の凸部を有する多葉形であることがより好ましい。
【００２２】
さらにまた、本発明の化粧ブラシ用毛材１は、さらに化粧粉の含み具合と化粧の際の化粧粉の離脱性とのバランスが良くなることから、その非圧縮部５における断面のローバル度が０．３〜０．７の範囲にあることが好ましく、さらには０．３５〜０．６の範囲にあることがより好ましい。
【００２３】
本発明の化粧ブラシ用毛材１のストレート部３の外径は、化粧ブラシの種類に応じて適宣選択することができるが、化粧ブラシに要求される肌への触感などを考慮すると、０．０５〜０．２５ｍｍの範囲であることが好ましく、さらには０．０７〜０．２０ｍｍの範囲であることがより好ましい。
【００２４】
また、上記条件を満たせば優れた化粧粉の含み具合や塗布性能が十分に発揮されるが、より一層化粧粉の含み具合や塗布性能に優れた化粧ブラシ用毛材１を得るためには、圧縮変形部４の長さが１〜８ｍｍ、さらには２〜６ｍｍの範囲にあることがより好ましく、非圧縮部５の長さについても１〜８ｍｍ、さらには２〜６ｍｍの範囲にあることがより好ましい。
【００２５】
なお、本発明の化粧ブラシ用毛材１に使用する合成樹脂は、溶融紡糸が可能なものであれば特に限定はされず任意に選択することができるが、中でも、化粧ブラシ用毛材１の少なくとも一端にテーパー形状を形成するに際して、後に説明する通り、アルカリ溶解法で容易にテーパー加工を施すことができることから、ポリエチレンテレフタレート、ポリブチレンテレフタレート、ポリプロピレンテレフタレートなどのポリエステル系樹脂が好ましい。
【００２６】
また、本発明の化粧ブラシ用毛材１には、本発明を阻害しない範囲であれば耐熱剤、耐光剤、酸化防止剤、帯電防止剤、抗菌剤、着色剤および可塑剤などの添加剤などを任意に含有させることができる。
【００２７】
ここで、本発明の化粧ブラシ用毛材１の製造方法について、以下に具体例を挙げて説明する。
【００２８】
まず、原料となる合成樹脂チップを公知の溶融紡糸機に供給した後、所望の断面形状を有する紡糸口金孔から合成樹脂の溶融物を押し出し、冷却固化、熱延伸および熱セットを施して異形断面モノフィラメントを製糸する。
【００２９】
その後、得られた異形断面モノフィラメントを、図３に示す通り、供給ローラー９を使用して上下一対からなる歯車１０の隙間に供給し、異形断面モノフィラメント８の長さ方向に沿って交互に圧縮変形部４および非圧縮部５を形成する。
【００３０】
そして、圧縮変形部４および非圧縮部５が形成された異形断面モノフィラメント８は、引き取りローラー１１を使用して引き取られ、一旦束にして巻き取られる。
【００３１】
この際、上下歯車１０の隙間は異形断面モノフィラメント８の太さよりも狭く設定する必要があるが、その幅は、本発明の歯ブラシ用毛材１の圧縮変形部４の短径ｂに相当する大きさに設定すると良い。
【００３２】
巻き取られた異形断面モノフィラメント６の束は、所望の長さにカットされ、カットブリッスルに加工する。その後、このカットブリッスルは、その少なくとも一端にテーパー形状が施される。
【００３３】
ここで、テーパー形状の加工方法としては、研磨などの物理的処理や酸・アルカリ溶解法などの化学的処理を採用することができるが、特にアルカリ溶解法は、容易にテーパー形状を形成することができるとともに、アルカリ液の濃度、アルカリ液の温度、アルカリ液への浸漬深さ、および浸漬時間などを適宣調整することにより、所望のテーパー形状を容易に形成できることから特に有利である。
【実施例】
【００３４】
以下に、本発明の化粧ブラシ用毛材について、実施例を挙げてさらに具体的に説明する。また、実施例および比較例における各化粧ブラシの性能評価は次の方法により行った。
【００３５】
［圧縮変形部断面の長径および短径］
化粧ブラシ用毛材の圧縮変形部をミクロトームで厚さ１５μmに輪切りにし、その切片の断面を（株）ＫＥＹＥＮＣＥ製デジタルＨＤマイクロスコープＶＨ−７０００を使用して観察し、長径ａ（ｍｍ）および短径ｂ（ｍｍ）をそれぞれ測定した。
【００３６】
［非圧縮部断面のローバル度］
化粧ブラシ用毛材の非圧縮部をミクロトームで厚さ１５μｍに輪切りにし、その切片の断面を（株）ＫＥＹＥＮＣＥ製デジタルＨＤマイクロスコープＶＨ−７０００を使用して観察した。
【００３７】
その際に、非圧縮部の断面形状に外接する外接円と断面形状の凸部とが接する点を接点とした場合の隣接する２つの凸部先端の接点を結んだ接点間距離ｃ（ｍｍ）と隣接する２つの凸部に挟まれた凹部の最底点から前記２つの接点を結んだ線分へ垂直に下ろした垂線の距離ｄ（ｍｍ）とを測定し、ローバル度ｄ／ｃの値を算出した。
【００３８】
［化粧料塗布性能］
成人女性１５名に対して、獣毛使用のフェースブラシと実施例および比較例で作製したフェースブラシとを使用して粉体化粧料（アイビー化粧品：フェースカラーパウダー）を肌に塗布してもらい、以下の判断基準を基にして、化粧ブラシへの化粧粉の含み具合と塗布斑の発生ついて回答を得た。
◎：獣毛使用のものよりも化粧粉の含み具合が多く、塗布斑も少なかった
○：獣毛使用のものと同等の化粧粉の含み具合と塗布斑であった、
△：獣毛使用のものよりも化粧粉の含み具合が少なく、塗布斑も多かった、
×：獣毛使用のものよりも化粧粉の含み具合が極めて悪く、塗布斑も著しかった。
【００３９】
［肌への感触］
上記化粧料の塗布性能評価と同時に、以下の判断基準を基にして、肌への感触についても回答を得た。
１：極めて柔軟であり、獣毛使用のものよりも優れた触感であった、
２：柔軟であり、獣毛使用のものと同等の触感であった、
３：獣毛使用のものに比べてやや劣るが、実用上問題はなかった、
４：獣毛使用のものに比べて肌に刺激や柔軟性不足が感じられ、触感が良くなかった、
５：獣毛使用のものに比べて肌に刺激や柔軟性不足が強く感じられ、触感が悪かった。
【００４０】
［実施例１］
ポリブチレンテレフタレート樹脂（東レ（株）製  １２００Ｓ、以下、ＰＢＴと称す）をエクストルダー型溶融紡糸機に供給して２７０℃で溶融混練した後、ＰＢＴの溶融物を８葉形状の孔を有するノズルから押し出し、冷却固化および延伸工程を経て、外径０．１００ｍｍかつローバル度０．４の８葉断面モノフィラメントを製糸した。
【００４１】
次いで、この８葉断面モノフィラメントを１８０℃に加温しながら上下一対からなる歯車の隙間に導き、表１に示すような圧縮変形部と非圧縮部とをその長さ方向に沿って交互に有する８葉断面モノフィラメントを得た。
【００４２】
さらに、この８葉断面モノフィラメントをカットしてカットブリッスルに加工し、このカットブリッスルの一端をアルカリ溶解法でテーパー形状に加工し、化粧ブラシ用毛材を得た。
【００４３】
そして、得られた化粧ブラシ用毛材を基台に植毛してフェースブラシを作成した。
【００４４】
［実施例２］
上下歯車の隙間を変え、圧縮変形部の長径と短径の比を表１に示すように変更したこと以外は、実施例１と同じ条件で化粧ブラシ用毛材およびフェースブラシを作成した。
【００４５】
［実施例３］
ノズルの孔の形状を変えて、５葉断面モノフィラメントを製糸したこと以外は、実施例１と同じ条件で化粧ブラシ用毛材およびフェースブラシを作成した。
【００４６】
［実施例４］
ノズルの孔の形状を変えて、表１に示すようなローバル度を有する５葉断面モノフィラメントを製糸したこと以外は、実施例３と同じ条件で化粧ブラシ用毛材およびフェースブラシを作成した。
【００４７】
［実施例５］
ノズルの孔の形状を変えて、１３葉断面モノフィラメントを製糸したこと以外は、実施例１と同じ条件で化粧ブラシ用毛材およびフェースブラシを作成した。
【００４８】
［実施例６］
上下歯車の歯の間隔を変えて、圧縮変形部および非圧縮部の長さを表１に示すように変更したこと以外は、実施例１と同じ条件で化粧ブラシ用毛材およびフェースブラシを作成した。
【００４９】
［比較例１、２］
上下歯車の隙間を変え、圧縮変形部の長径と短径の比を表１に示すように変更したこと以外は、実施例１と同じ条件で化粧ブラシ用毛材およびフェースブラシを作成した。
【００５０】
［比較例３］
製糸した８葉断面モノフィラメントに圧縮変形部および非圧縮部を形成しなかったこと以外は、実施例１と同じ条件で化粧ブラシ用毛材およびフェースブラシを作成した。
【００５１】
［比較例４］
ノズルの孔の形状を変えて、丸断面モノフィラメントを製糸し、さらに製糸した丸断面モノフィラメントに圧縮変形部および非圧縮部を形成しなかったこと以外は、実施例１と同じ条件で化粧ブラシ用毛材およびフェースブラシを作成した。
【００５２】
以上、作成した化粧ブラシ用毛材とフェースブラシの評価結果を表１に併せて記載する。
【００５３】
【表１】
2007244544.tif 000003
【００５４】
表１の結果から明らかなように、本発明の条件を満たした化粧ブラシ用毛材（実施例１〜６）は、化粧粉の含み具合や塗布性能に優れ、肌への感触に優れるなどの特長を持ち、さらに獣毛に匹敵するものであることが分かり、化粧ブラシに最適な毛材であるといえる。
【００５５】
これに対して、本発明の条件を満たさない化粧ブラシ用毛材（比較例１〜４）は、化粧粉の含み具合、塗布性能および肌への感触が実施例の化粧ブラシ用毛材に比べて欠けていることが分かる。
【産業上の利用可能性】
【００５６】
本発明の化粧ブラシ用毛材は、従来の合成樹脂製の化粧ブラシ用毛材に比べて、化粧粉の含み具合や塗布性能に優れるとともに、肌への感触が極めて良好であるなどの特長を持ち、獣毛に十分匹敵し得る特性を有するため、フェースブラシを始め、アイシャドウブラシ、リップブラシなどの各種化粧ブラシへの利用に最適である。
【図面の簡単な説明】
【００５７】
【図１】本発明の化粧ブラシ用毛材の一例を示す側面図である。
【図２】（イ）および（ロ）はそれぞれ本発明の化粧ブラシ用毛材の圧縮変形部および非圧縮部の断面図である。
【図３】本発明の化粧ブラシ用毛材の圧縮変形部の加工方法の一例を示した模式図である。
【符号の説明】
【００５８】
１    化粧ブラシ用毛材
２    テーパー部
３    ストレート部
４    圧縮変形部の断面図
５    非圧縮部の断面図
６    凸部
６ａ、６ｂ    接点
７    凹部
７ａ  最底点
８    異形断面モノフィラメント
９    供給ローラー
１０  歯車
１１  引き取りローラー
ａ    長径
ｂ    短径
ｃ    接点間距離
ｄ    垂線の距離
【図１】
2007244544.tif 000004
【図２】
2007244544.tif 000005
【図３】
2007244544.tif 000006